(57)【要約】【課題】  送受信基地局の受信機の入力変化を減少させることができるように、移動局（ＭＳ）から発信されるアクセスパケット（ＰＡ）の出力を制御する方法を提供する。【解決手段】  送受信基地局（ＢＴＳ）のレベルでは、放送チャンネル（ＢＣＣＨ）にこのチャンネル上の発信出力（ＴＰｏ（ＢＴＳ））を表す出力情報を含める。移動局（ＭＳ）のレベルでは、このチャンネル上で受信された出力を測定し、この出力測定値（ＲＰ（ＭＳ））を、放送チャンネル（ＢＣＣＨ）に含まれる発信出力情報から得られた発信出力と比較して、移動局（ＭＳ）から送受信基地局（ＢＴＳ）への伝搬損失の推定値を引き出し、推定伝搬損失とシステムのパラメータからアクセス・パケット（ＰＡ）の最適発信出力を決定する。無線電話で、特にＧＳＭシステムとＴＥＴＲＡシステムに利用される。【選択図】図１
2010022027.tif 000002
【特許請求の範囲】
【請求項１】
無線通信システム内にあって放送チャンネル（ＢＣＣＨ）を規則的に発信する送受信基地局（ＢＴＳ）に向けて移動局（ＭＳ）からアクセスチャネル上に発信されるアクセスパケット（ＰＡ）の出力を制御する方法であって、
−  送受信基地局（ＢＴＳ）のレベルで、放送チャンネル（ＢＣＣＨ）中にこのチャンネル上の発信出力を表す出力情報を含めることと、
−  移動局（ＭＳ）のレベルで、このチャンネル上で受信された出力を測定し、この出力測定値（ＲＰ（ＭＳ））を、放送チャンネル（ＢＣＣＨ）中に含まれる発信された出力を表す情報から得られた発信出力と比較して、移動局（ＭＳ）から送受信基地局（ＢＴＳ）への伝搬損失の推定値を引き出し、該伝搬損失の推定値と通信システムのシステムパラメータとから、アクセスパケット（ＰＡ）の最適発信出力（ＴＰｏ（ＭＳ））を決定することと
を備えたことを特徴とする無線通信システムにおいて移動局によって発信されるアクセスパケットの出力を制御する方法。
【請求項２】
前記測定された出力を発信出力と比較する前に該測定された出力を平均化することを特徴とする請求項１に記載の方法。
【請求項３】
アクセスパケット（ＰＡ）の最適発信出力（ＴＰｏ（ＭＳ））を決定するために考慮されるシステムパラメータに、送受信基地局（ＢＴＳ）の受信感度と前記最適発信出力（ＴＰｏ（ＭＳ））の計算で見込んでおくべき全体的マージン（Ｘ）とが含まれることを特徴とする請求項１または請求項２に記載の方法。
【請求項４】
−  ＴＰ（ＢＴＳ）が、送受信基地局（ＢＴＳ）による放送チャンネル（ＢＣＣＨ）の発信出力であり、
−  ＲＰ（ＭＳ）が、移動局（ＭＳ）によって測定される受信出力であり、
−  Ｒｏ（ＢＴＳ）は、送受信基地局（ＢＴＳ）による所望の受信出力であり、
−  Ｘが、計算の前記全体的マージンを表すとして
アクセスパケット（ＰＡ）の最適発信出力（ＴＰｏ（ＭＳ））が、次の関係式
ＴＰｏ（ＭＳ）＝ＴＰ（ＢＴＳ）−ＲＰ（ＭＳ）＋Ｒｏ（ＢＴＳ）＋Ｘ
によって決定されることを特徴とする請求項３に記載の方法。
【請求項５】
−  ＴＰｏ（ＢＴＳ）が、全体的マージン（Ｘ）の基地局成分（ｘ）で増補された放送チャンネル（ＢＣＣＨ）の発信出力ＴＰ（ＢＴＳ）に等しい補正発信出力を表し、この基地局成分（ｘ）が送受信基地局（ＢＴＳ）内における通信のバランスの不均衡を表しており、
−  ＲＰ（ＭＳ）が、移動局（ＭＳ）によって受信される出力の測定値、場合によっては平均値を表しており、
−  Ｒｏ（ＢＴＳ）が、送受信基地局（ＢＴＳ）による所望の受信出力であり、
−  ｙが、特に移動局（ＭＳ）のレベルにおける受信損失を含む全体的マージン（Ｘ）の第２成分を表すとして、
アクセスパケット（ＰＡ）の最適発信出力（ＴＰｏ（ＭＳ））が、関係式
ＴＰｏ（ＭＳ）＝ＴＰｏ（ＢＴＳ）−ＲＰ（ＭＳ）＋Ｒｏ（ＢＴＳ）＋ｙ
によって決定されることを特徴とする請求項４に記載の方法。
【請求項６】
放送チャンネル（ＢＣＣＨ）上に、一方では送受信基地局（ＢＴＳ）の入力側での所望の出力（Ｒｏ（ＢＴＳ））を示す情報を送り、他方では前記の補正された発信出力（ＴＰｏ（ＢＴＳ））を示す情報を送ることを特徴とする請求項５に記載の方法。
【請求項７】
放送チャンネル（ＢＣＣＨ）上に補正された発信出力（ＴＰｏ（ＢＴＳ））を示す情報を送り、送受信基地局（ＢＴＳ）の入力側での所望の出力（Ｒｏ（ＢＴＳ））は、無線通信システムを管理する規格（ＧＳＭ、ＴＥＴＲＡ）中で予め規定されていることを特徴とする請求項５に記載の方法。
【請求項８】
アクセス段階にある移動局（ＭＳ）のレベルで、この移動局（ＭＳ）により送受信基地局（ＢＴＳ）に向けてアクセスチャンネル（ＲＡＣＨ）上ですべてのアクセス・パケット（ＰＡ）を発信する前に、放送チャンネル（ＢＣＣＨ）を通じて受信される補正発信出力（ＴＰｏ（ＢＴＳ））の情報と、移動局（ＭＳ）によって前記の放送チャンネル上で受信される出力の測定値ＲＰ（ＭＳ）と、第２マージン成分（ｙ）で増補された予め規定された所望受信出力Ｒｏ（ＢＴＳ）に相当する所望受信出力（Ｒ’ｏ（ＢＴＳ））の内部情報とから、関係式
ＴＰｏ（ＭＳ）＝ＴＰｏ（ＢＴＳ）−ＲＰ（ＭＳ）＋Ｒ’ｏ（ＢＴＳ）
によって、前記のアクセスパケット（ＰＡ）の最適発信出力（ＴＰｏ（ＭＳ））を計算することを特徴とする請求項７に記載の方法。
【請求項９】
放送チャンネル（ＢＣＣＨ）上に送られる補正発信出力（ＴＰｏ（ＢＴＳ））を示す情報が、コード化して得られる調整増分が移動局（ＭＳ）の公称発信出力に比べて十分に小さくなるように選択された所定数のビットでコード化されることを特徴とする請求項５から請求項８のいずれか一項に記載の方法。
【請求項１０】
補正された発信出力（ＴＰｏ（ＢＴＳ））情報のコード化ビットの数が３であることを特徴とする請求項９に記載の方法。
【請求項１１】
第２マージン成分（ｙ）が移動局（ＭＳ）における受信のフィルタ損失の事前推定値に等しいかまたはそれより大きく選ばれており、発信と受信に１つの同じアンテナを利用する移動局（ＭＳ）に適用されることを特徴とする請求項５から請求項１０のいずれか一項に記載の方法。
【請求項１２】
基地局マージン成分（ｘ）が、送受信基地局（ＢＴＳ）のレベルで、受信ケーブル中の損失と発信ケーブル中及びフィルタの損失の差の事前推定値に等しいかあるいはそれより大きく選ばれており、発信と受信に１つの同じアンテナを利用する送受信基地局（ＢＴＳ）に適用されることを特徴とする請求項５から請求項１１のいずれか一項に記載の方法。
【請求項１３】
一群の移動局（ＭＳ）と通信する複数の送受信基地局（ＢＴＳ）を含み、各送受信基地局（ＢＴＳ）が１つの放送チャンネル（ＢＣＣＨ）上に規則的に発信するように構成された、請求項１から請求項１２のいずれか一項に記載の方法を使用する無線通信システム（１）であって、少なくとも前記の送受信基地局（ＢＴＳ）の１つは放送チャンネル（ＢＣＣＨ）上に規則的に前記のチャンネルの発信出力（ＴＰ（ＢＴＳ））を表す情報を発信するように構成され、前記の送受信基地局（ＢＴＳ）によって管理されるセルの中でアクセス段階にある少なくとも１つの移動局（ＭＳ）が、放送チャンネル（ＢＣＣＨ）の受信出力測定値を提供する手段と、この測定された出力を発信出力（ＴＰ（ＢＴＳ））と比較し、移動局（ＭＳ）と送受信基地局（ＢＴＳ）との間の伝搬損失の推定値を提供する手段と、伝搬損失の推定値と前記システム（１）のパラメータとから計算された最適発信出力レベル（ＴＰｏ（ＭＳ））にアクセスパケット（ＰＡ）の発信出力を調整する手段とを含むことを特徴とする無線通信システム（１）。
【請求項１４】
受信された出力の測定値を提供する前記手段が、一組の受信出力測定値の平均化を行うように構成されていることを特徴とする請求項１３に記載のシステム（１）。
【発明の詳細な説明】
【技術分野】
【０００１】
本発明は、無線通信システムにおいて移動局（mobile）から発信されるアクセスパケットの出力を制御する方法に関する。
【０００２】
本発明はまた、この方法を使用した無線通信システムをも対象とする。
【背景技術】
【０００３】
移動局を有する無線通信システムでは、移動局が送受信基地局と通信している時間の割合は一般に小さいことが、経験によってわかっている。この移動局は次の状況においてのみ発信する必要がある。
−  移動局または送受信基地局から通信が発せられるとき、および
−  移動局がその存在またはその場所を信号で知らせている間の呼出し以外の、信号通信の情報交換のとき。
【０００４】
このような活動期間を初期設定する際に、移動局は最初のメッセージを、それが基地局に到達する前に受ける減衰を先験的に知らずに、送らなければならない。したがって、このアクセスパケットが発信される出力レベルは、移動局が設計された際の最高出力のみによって決まり、また場合によっては、通達範囲に含まれるすべての移動局向けに基地局から発信される出力の限界によって決まる。
【０００５】
移動無線環境では、信号の弱化すなわち減衰は、Ｗ．Ｃ．リーの著書「可動セル式遠隔通信システム（Mobile  Cellular  Telecommunications  Systems）」（マグローヒル・インターナショナル、１９９０年）に記載されているように、次の２つの成分によってモデル化することができる。
−  局地的減衰、すなわち基地局と移動局との間の伝搬環境と距離に依存される正規対数法に従うフェージング、以下では「伝搬損失」と称する、
−  多重伝搬の結果生じる干渉によって発生し、局地的減衰よりもはるかに急速に変化する、レイリーのフェージング。
【０００６】
したがって、基地局が受け取る信号出力は、到達範囲内にある移動局の位置によって非常に変化する。したがって基地局の受信機は非常に大きな入力変化をサポートするように設計しなければならず、これは実際には非常に困難なことである。たとえば、１００ｄＢ以上の入力変化がしばしば観察される。下流段階では時として２倍になるはずである。こうして、全域を確実にカバーするために、多くの拘束された入力変化の連鎖が並列に設置される。
【０００７】
この非常に大きな入力変化は、あいにくアクセスパケットだけに必要である。その理由は、基地局が受信した信号のレベルを推定し、それに応答して、不必要に高いレベルを有することなく高品質の通信を可能にするために使用すべき出力を、移動局に指示することができるからである。
【発明の概要】
【発明が解決しようとする課題】
【０００８】
本発明の目的は、送受信基地局の受信機の入力変化を減少させることができるように、移動局によって発信されるアクセスパケットの出力を制御する方法を提案して、前記の不都合を是正することである。
【課題を解決するための手段】
【０００９】
本発明によれば、無線通信システム内にあり放送チャンネルを規則的に発信する送受信基地局に対して移動局から発信されるアクセスパケットの出力を制御する方法は、
−  送受信基地局のレベルで、放送チャンネル中にこのチャンネルに関する発信出力を示す情報を含むことと、
−  移動局のレベルで、このチャンネルで受信した出力を測定し、この出力測定値を、放送チャンネル中に含まれる出力情報から得られた発信出力と比較し、移動局から送受信基地局への伝搬損失の推定値を引き出し、伝搬損失推定値と通信システムのパラメータとから、アクセスパケットの最適発信出力を決定すること
を備えたことを特徴とする。
【００１０】
したがって、本発明による方法により、移動局はアクセスパケットの発信出力を最適化することができる。したがって受信基地局に対する拘束ははるかに緩くなり、それが、基地局の設計の簡略化と費用の軽減に貢献する。さらに、本発明による方法は、移動局に貯蔵される電気エネルギーの利用を改善し、複数の移動局によって発生する妨害を軽減させる。
【００１１】
本発明の他の態様によれば、一群の移動局と通信し、各々が規則的に放送チャンネルを発信するように構成された複数の送受信基地局を含み、本発明の方法を利用する無線通信システムであって、前記の送受信基地局の少なくとも１つが前記チャンネルの発信出力を示す情報を含む放送チャンネルを発信するように構成され、少なくとも１つの移動局が前記の送受信基地局によって管理されるセル中のアクセス段階で、放送チャンネルの受信出力の測定値を提供する手段と、この出力を発信出力と比較する手段と、移動局の伝搬損失の推定値を提供する手段と、アクセスパケットの発信出力を伝搬損失の推定値と前記システムのパラメータから決定された最適発信出力のレベルに調節する手段とを含む、無線通信システムが提唱される。
【図面の簡単な説明】
【００１２】
【図１】本発明による方法を利用して、送受信基地局のセルにおける移動局のアクセス段階を概略的に示す図である。
【図２】本発明による方法を利用した実際の例に対応する、送受信基地局と移動局にそれぞれ関連する出力の２つの目盛を示す図である。
【図３】送受信基地局によって受信される出力に対する、伝搬損失の推定値の不正確さの影響を示す図である。
【発明を実施するための形態】
【００１３】
本発明のその他の特徴及び利点は以下の説明から明らかになるであろう。
【００１４】
次に、例としてＧＳＭ型（“Global  System  for  Mobile  Communications”）またはＴＥＴＲＡ（“Trans  European  Trunk  RAdio”）型のデジタル無線通信システムの応用例を用いて、本発明による出力制御の方法を説明する。図１を参照して、１つの移動局ＭＳが送受信基地局ＢＴＳによって管理されるセルにアクセスするときに、本発明による方法がどのように使用されるかを説明する。たとえばＧＳＭシステムの場合には、この送受信基地局は、たとえばＡＢＩＳ型のデジタルリンクＬを介して基地交換局に接続することが可能である。
【００１５】
非限定的な例として、送受信基地局ＢＴＳがそれぞれ発信と受信に充てられるアンテナ７、６有し、アクセス段階にある移動局ＭＳが、ほとんどの移動局でそうであるように固有のアンテナ５を備えているという構成について考えてみる。送受信基地局ＢＴＳは一般に、送信アンテナ７に接続された送信機ブロック１１と、受信アンテナ６に接続された受信機ブロック１２とを備え、この２つのブロックはベースバンド処理ユニットに接続され、適当なフィルタ手段を備える。
【００１６】
移動局は、１つは共通アンテナ５に、もう１つは処理ユニット４に接続された、送受信ブロック３を備える。無線電話移動局の場合、この処理ユニットは、ユーザとのインターフェース装置、特にスピーカ、マイクロフォン、及びキーボードに接続されている。しかし本発明による方法は、キーボードからだけデータを与えられる移動局にも適用される。
【００１７】
デジタル無線通信システムは、たとえば用語ＢＣＣＨ“Bloadcast  Channel”（放送チャンネル）で表される、システムに関する情報メッセージが規則的に放送されるチャンネルを自由に供用できる。この放送チャンネル（ＢＣＣＨ）は、システムＧＳＭの場合には永続的に放送されるが、ＴＥＴＲＡシステムのデータセル中では断続させることができる。いずれにせよ、このチャンネルＢＣＣＨが発信されるときは、このチャンネルはシステムのオペレータによって固定された一定出力レベルにある。本発明による方法は、このチャンネル中に搬送波の発信出力を示す追加メッセージＴＰｏ（ＢＴＳ）を含めることを企図しており、場合によっては後述の補正項をこのメッセージに加えることができる。
【００１８】
したがって移動局ＭＳは、受信された（場合によっては平均）メッセージの出力をメッセージが送信された出力と比較することによって、メッセージが受ける減衰を決定し、“Random  Access  Channel”（ランダムアクセスチャンネル）を意味する用語ＲＡＣＨによって特に表されるアクセスチャンネルに、アクセスパケットＰＡを発信することができ、このアクセスパケットＰＡが送受信基地局ＢＴＳによって受信され処理される。
【００１９】
平均化動作は、レイリーのフェージングを部分的になくし、伝搬損失に起因する減衰を引き出す。これによって、大きなフェージングを原因とする推定（estimation）の誤りが避けられる。また、推定の誤りの少ないシステムをもたらすことができる。
【００２０】
推定は基地局から移動局への方向の減衰について行われるが、送信と受信で使用される周波数が近接しており且つ平均化が行われる測定では、その推定は、移動局ＭＳから基地局ＢＴＳへの方向の伝搬減衰の良好な推定となる。この平均化によって、たとえばレイリーの減衰の形の伝搬チャンネルの急速な変動を除くことができる。したがって、最適送信出力ＴＰｏ（ＭＳ）は、固定された、または、基地局（ＢＴＳ）によって放送チャンネルＢＣＣＨ上で送信された、多くのシステムパラメータの関数である。たとえば、下記のパラメータを挙げることができる。
−  基地局ＢＴＳの感度、
−  出力測定値に対するリスク（ないし不確定）を考慮に入れるため、または上り方向と下り方向の間の通信のバランスの不均衡を補償するため、最適送信出力（ＴＰｏ（ＭＳ））の計算に対して見込んだマージン。このマージンの使用理由と定義については後で詳述する。
【００２１】
たとえば、図２を参照すると、送受信基地局ＢＴＳの感度Ｓが−１０３ｄＢｍであり、アクセスパケットＰＡが、できればこの感度Ｓより３０ｄＢ低い出力レベル、すなわち−７３ｄＢｍの出力レベルＲｏ（ＢＴＳ）でアクセスチャンネルＲＡＣＨ上に到達するように設計されたシステムについて考えてみる。放送チャンネルＢＣＣＨが４０ｄＢｍの出力ＴＰ（ＢＴＳ）で規則的に発信され、移動局がこのチャンネルをたとえば−５０ｄＢｍの測定出力レベルＲＰ（ＭＳ）で受信すると仮定した場合には、受ける減衰は下記の通りになる。
４０−（−５０）＝９０ｄＢ
【００２２】
したがって、本発明の一実施例で決定された最適送信出力ＴＰｏ（ＭＳ）は下記の通りである。
９０−７３＝１７ｄＢｍ
【００２３】
これらの種々の操作は、アクセスチャンネルＲＡＣＨ上に発信されるアクセスパケットＰＡの出力を調節するために、移動局の出力制御の内部機構内で実現され得る。
【００２４】
ここで、本発明による方法を使用した例として、ほとんどすべての実際例でそうであるが、移動局が送信用と受信用に同じアンテナを使用することを考慮して、送受信基地局と移動局との間の通信のバランスを示す。その代わりに、送受信基地局については、送信用と受信用に別々の２つのアンテナも考えられる。
【００２５】
したがって、次の表に示した通信バランスに基づいて本発明による方法の使用を考えることができる。
【表１】
2010022027.tif 000003
ただし、
ＴＰ（ＭＳ）：アクセスチャンネル（ＲＡＣＨ）上にアクセスパケットＰＡを発信するために、移動局ＭＳによって使用される発信出力、
ＴＰ（ＢＴＳ）：送受信基地局ＢＴＳによって使用され、放送チャンネルＢＣＣＨ上に送られる発信出力、
ＲＰ（ＭＳ）：移動局ＭＳによって測定される出力レベル、
ＲＰ（ＢＴＳ）：送受信基地局ＢＴＳによって受信される出力レベル、
Ｂ（ＢＴＳ）とＢ（ＭＳ）：それぞれ送受信基地局ＢＴＳと移動局ＭＳのフィルタと送信ケーブル中で散逸する出力、
Ｃ（ＢＴＳ）とＣ（ＭＳ）：送受信基地局ＢＴＳの送信アンテナ利得と移動局ＭＳの送受信アンテナ利得、
Ｇ（ＢＴＳ）：送受信基地局ＢＴＳの各受信アンテナ利得、
Ｈ（ＢＴＳ）とＨ（ＭＳ）：それぞれ送受信基地局ＢＴＳと移動局ＭＳのケーブルと受信接続部における損失を表す。
【００２６】
アンテナ利得Ｇ（ＢＴＳ）は、多数のアンテナが受信に使用される場合に、種々のアンテナによってもたらされる利得を考慮に入れることができることに留意されたい。
【００２７】
移動局ＭＳによる伝搬損失ＰＬの推定値は、上記の表の最終行に示した移動局ＭＳによって受信された出力の式ＲＰ（ＭＳ）に基づいて表すことができる。
ＰＬ＝ＴＰ（ＢＴＳ）−ＲＰ（ＭＳ）＋（Ｃ（ＭＳ）−Ｈ（ＭＳ））＋（Ｃ（ＢＴＳ）−Ｂ（ＢＴＳ））
【００２８】
Ｒｏ（ＢＴＳ）が送受信基地局ＢＴＳの受信アンテナのコネクタ上で望ましい信号レベルを表す場合には、アクセスパケットＰＡの発信出力の最適レベルは次のようになる。
ＴＰｏ（ＭＳ）＝Ｒｏ（ＢＴＳ）＋（Ｂ（ＭＳ）−Ｃ（ＭＳ））＋（Ｈ（ＢＴＳ）−Ｇ（ＢＴＳ））＋ＰＬ
【００２９】
上式に伝搬損失ＰＬの式を代入すると、次の式が得られる。
ＴＰｏ（ＭＳ）＝Ｒｏ（ＢＴＳ）＋ＴＰ（ＢＴＳ）＋（Ｈ（ＢＴＳ）−Ｂ（ＢＴＳ））＋（Ｃ（ＢＴＳ）−Ｇ（ＢＴＳ））＋（Ｂ（ＭＳ）−Ｈ（ＭＳ））−ＲＰ（ＭＳ）
【００３０】
この数式の中で基地局成分項（ｘ）として示される項（Ｈ（ＢＴＳ）−Ｂ（ＢＴＳ））＋（Ｃ（ＢＴＳ）−Ｇ（ＢＴＳ））は、基地局の送受信内部構造を考慮に入れるために必要なマージンに対応する。これは予め測定、定義、または計算することができ、これを使用して数式中に現れる補正発信出力ＴＰｏ（ＢＴＳ）を確定することができる。送受信基地局ＢＴＳのレベルで発信と受信に同じアンテナが使用される場合には、項ｘはｘ＝（Ｈ（ＢＴＳ）−Ｂ（ＢＴＳ））となり、したがって、基地局のレベルにおける受信と発信の間のケーブル及びフィルタにおける出力損失の差となる。
【００３１】
数式中の移動局成分ｙと呼ばれる項（Ｂ（ＭＳ）−Ｈ（ＭＳ））は、移動局ＭＳの受信機ブロックのケーブル中の損失と、上記移動局ＭＳの送信機ブロック中のケーブル及びフィルタ中の損失の差を表す。発信と受信で同じアンテナが使用されるので、ケーブルは同じである。したがって、この差は、フィルタ損失Ｆ（ＭＳ）にのみ関係し、これは実際には［１．５±１．５］ｄＢの範囲内にある。
【００３２】
結論として、アクセスパケットＰＡの最適発信出力を計算するために使用される全体的なマージンは、次のように表すことができる。
−  送受信基地局ＢＴＳで発信と受信に異なるアンテナが使用される場合、または種々のアンテナを使用して追加の利得が得られる場合には、
Ｘ＝（Ｈ（ＢＴＳ）−Ｂ（ＢＴＳ））＋（Ｃ（ＢＴＳ）−Ｇ（ＢＴＳ））＋Ｆ（ＭＳ）
−  基地局でただ１つのアンテナを使用する場合には、
Ｘ＝（Ｈ（ＢＴＳ）−Ｂ（ＢＴＳ）＋Ｆ（ＭＳ））
【００３３】
本発明の方法によって制御される、アクセスパケットＰＡの発信出力の最適レベルＴＰｏ（ＭＳ）は、次のように表すことができる。
ＴＰｏ（ＭＳ）＝Ｒｏ（ＢＴＳ）＋ＴＰｏ（ＢＴＳ）−ＲＰ（ＭＳ）＋ｙ
【００３４】
ただし、ＴＰｏ（ＢＴＳ）は、発信と受信時の入力フィルタ及びケーブルのレベルにおける損失と送信アンテナと受信アンテナの利得とを考慮に入れた、送受信基地局の補正発信出力を表す。ここで上記した全体的マージンの基地局成分ｘを用いると、
ＴＰｏ（ＢＴＳ）＝ＴＰ（ＢＴＳ）＋ｘ
【００３５】
したがって、発信パケットの好ましい出力を、基地局のレベルにおける所望の受信出力と、基地局によって放送チャンネルＢＣＣＨ上に発信される補正出力と、移動局ＭＳによってそのチャンネル上で受信される出力と、出力測定に関するリスクを考慮に入れ、上り方向（移動局から送受信基地局へ）と下り方向（送受信基地局から移動局へ）との間の通信の収支における不均衡を補償するために、出力の計算に見込んでおくべき余裕との関数で表すことができる。
【００３６】
したがって、アクセスパケットＰＡの最適発信出力（ＴＰｏ（ＭＳ））は次のようになる。
ＴＰｏ（ＭＳ）＝Ｒｏ（ＢＴＳ）＋ＴＰｏ（ＢＴＳ）−ＲＰ（ＭＳ）＋ｙ
【００３７】
変数ｙは、移動局ＭＳのフィルタ成分における損失を考慮に入れるために見込んでおくべきマージン成分を表す。送受信基地局ＢＴＳのレベルにおける減衰と利得差を考慮に入れるために見込んでおくべき基地局のマージン成分ｘは、補正発信出力ＴＰｏ（ＢＴＳ）中に組み込まれることに留意されたい。
【００３８】
本発明の方法は、少なくとも２つの異なった方式で使用することができる。
−  補正発信出力ＴＰｏ（ＢＴＳ）を示す情報と、所望の受信出力Ｒｏ（ＢＴＳ）を示す情報を、放送チャンネルＢＣＣＨ上に同時に流すことができる。または、
−  補正発信出力ＴＰｏ（ＢＴＳ）を示す情報を放送チャンネルＢＣＣＨ上に流し、所望の受信出力Ｒｏ（ＢＴＳ）を通信規格中で定義することができ、したがってこの後者の情報は移動局ＭＳの制御手段及び処理手段中にある。
【００３９】
放送チャンネルＢＣＣＨ上に２つの出力情報を流すことから成る第１のオプションは、柔軟性がより大きいという利点を示し、一方、第２のオプションは放送チャンネルＢＣＣＨ上のスペースを節約することができる。
【００４０】
どちらのオプションを選択するかは、以下で説明する移動局ＭＳの出力調整動的変化に関する実用上の特性を考慮することによって分かれる。
【００４１】
例として、移動局ＭＳの出力調整の動的変化が１５ｄＢｍのしきい値を有することができ、５ｄＢずつの増分で移動局ＭＳの公称発信出力に到達できるという、実際の場合を考えることができる。このことは、アクセスパケットＰＡの発信出力は、計算された最適発信出力（ＴＰｏ（ＭＳ））に調整されるが、もちろん実際には最適出力にもっと近いアクセス可能な出力レベルに調整されることを意味する。
【００４２】
実際には、最小半径のＲｍｉｎの円内部にある移動局はすべて、最小出力しきい値に相当する１５ｄＢｍの出力レベルでこのアクセスパケットを発信することになる。最小半径は、送受信基地局が飽和するというリスクを完全に避けるために十分に大きくとられることに留意されたい。したがって、この後者の受信装置を、従来技術で一般に設けられる最高レベルではなく、１５ｄＢｍのしきい値レベルで、近くの移動局から来るアクセスパケットを受信するように設計することができる。このようにして、可能な最高しきい値と、送受信基地局ＢＴＳの受信する入力変化の拘束を示す最小しきい値との差に等しい減少が得られ、それが、受信機の設計を大幅に簡素化し、無線装置の費用を低減させるのに貢献する。たとえば、最高しきい値は４０ｄＢｍまで達することができるとしても、ＴＥＴＲＡシステムにおける最小しきい値は１５ｄＢｍであり、これは２５ｄＢの入力変化の減少に該当する。
【００４３】
所望の出力Ｒｏ（ＢＴＳ）の適切な値を予め決定するためのオプションを用いると、システムの良好な挙動を得ることができる。たとえば、送受信基地局ＢＴＳの受信機の感度レベルを−１０６ｄＢｍ、良好な信号雑音比を保証するために少なくとも２０ｄＢの受信レベルを考えると、必要な入力出力は−１０６＋２０＝−８６ｄＢｍとなる。また、全体的マージンを１３ｄＢとし、それが、伝搬損失の推定値に対するマージン１０ｄＢに等しい成分と、特に移動局ＭＳにおける受信フィルタのレベルにおける損失を考慮に入れるための−３ｄＢの移動局成分とに分解できると考えた場合、所望の出力Ｒｏ（ＢＴＳ）の最終値は−７３ｄＢｍとなる。
【００４４】
４６ｄＢｍの補正発信出力ＴＰｏ（ＢＴＳ）を示す送受信基地局ＢＴＳについては、移動局ＭＳの受信出力が下記の値に達すると直ちに、移動局ＭＳはその発信出力を１５ｄＢｍのしきい値に低下させなければならない。
ＲＰ（ＭＳ）＝−７３−１５＋４６＝−４２ｄＢｍ
【００４５】
これは下記の伝搬損失に相当する。
４６−（−４２）＝８８ｄＢ
【００４６】
この伝搬損失のレベルは実際には、４００ＭＨｚの帯域で使用される標準装置では７００メートルの距離に相当する。伝搬損失の推定に関する不正確さのためにこの距離は数１０メートル変更され、そのために、信号レベルが約−７０ｄＢｍであるときには、送受信基地局によって受信される出力は影響を受けるが、基地局によって受信される最大出力レベルは影響を受けない。なお、大きなマージンが考慮に入れられているため、基地局によって受信される信号のレベルは、伝搬損失の推定の際にひどい不正確さが発生した場合でも、非常に高いままである。したがって、システムの全体的性能は、図３のグラフに示す通り、基地局の受信機の入力における所望出力Ｒｏ（ＢＴＳ）の厳密な値の影響をほとんど受けない。図３は基地局の受信出力ＲＰ（ＢＴＳ）の変化と、移動局ＭＳと基地局との間の距離Ｄの関係を示す。第１の直線ＡＣは出力制御がない場合の受信出力の減衰に相当し、第２の直線ＳＣは、本発明による出力制御方法を使用した場合の受信出力の減衰に相当する。伝搬損失の推定に関する不正確さは、所望の受信出力Ｒｏ（ＢＴＳ）の周りの、基地局の受信機の入力で有効に受信された出力に対して限られた影響を持つことになる。
【００４７】
したがって、ここに掲げた例の場合、−７３ｄＢｍに近い所望出力の固定値を通信規格に含めることが考えられる。基地局が飽和するというリスクを回避するために、これより大きな値も考えられる。
【００４８】
送受信基地局ＢＴＳによって放送チャンネルＢＣＣＨ上に送信された補正出力ＴＰｏ（ＢＴＳ）の情報をコード化するには、実際には僅かな数のビットしか必要としない。実際に、実際の例として、送受信基地局ＢＴＳの出力の出力変化が２６ｄＢで、例えばこれが１４ｄＢの出力クラスと１２ｄＢとの出力調整部分に分配されると考えることができる。
【００４９】
もちろん、本発明は、これまで説明した例示に限定されるものではなく、本発明の範囲を逸脱することなく、これらの例に多くの変更を加えることができる。
【符号の説明】
【００５０】
４  処理装置
５  固有アンテナ、共通アンテナ
６  送信アンテナ
７  受信アンテナ
１１  送信機ブロック
１２  受信機ブロック
【図１】
2010022027.tif 000004
【図２】
2010022027.tif 000005
【図３】
2010022027.tif 000006
【手続補正書】
【提出日】平成21年10月16日(2009.10.16)
【手続補正１】
【補正対象書類名】特許請求の範囲
【補正対象項目名】全文
【補正方法】変更
【補正の内容】
【特許請求の範囲】
【請求項１】
送受信基地局（ＢＴＳ）によって発信された放送チャンネル（ＢＣＣＨ）上で受信された出力を測定する手段と、
出力測定値（ＲＰ（ＭＳ））を、前記放送チャンネルの発信出力を表し、前記送受信基地局によって前記放送チャンネル（ＢＣＣＨ）上で発信された発信出力情報によって示される発信出力と比較し、移動局（ＭＳ）から前記送受信基地局（ＢＴＳ）への推定伝搬損失を引き出す手段と、
該推定伝搬損失と前記送受信基地局によって前記放送チャンネル（ＢＣＣＨ）上で発信された無線通信システムの少なくとも１つのパラメータとから、移動局によって発信されるアクセスパケット（ＰＡ）の最適発信出力（ＴＰｏ（ＭＳ））を決定する手段とを有する、移動局（ＭＳ）。